(57)【要約】【課題】  点灯回路の出力電圧における周波数の変化に伴う実効値の変化に対する検出電圧の変化を、比較的に簡単な回路で抑制することができる放電灯点灯装置及び照明器具を提供する。【解決手段】  制御回路５は、外部から入力された調光信号に応じてインバータ回路２の出力電圧の周波数（動作周波数）を変化させることにより放電灯ＦＬの光出力を変化させる。また、制御回路５は、電圧検出回路３が出力する検出電圧が所定の検出閾値を上回ったとき、異常が発生したと判定して、回路部品を保護するための所定の保護動作を行う。電圧検出回路３において周波数補正コンデンサＣ７を追加することで、動作周波数が高いほど検出電圧が低くなるようにした。動作周波数の変化による出力電圧の実効値の変化に対する検出電圧の変化が、周波数補正コンデンサＣ７を追加しただけの比較的に簡単な回路で抑制される。【選択図】図１
2009205862.tif 000002
【特許請求の範囲】
【請求項１】
放電灯に交流電力を供給して点灯させる点灯回路と、
点灯回路が放電灯に出力する出力電圧の実効値に対して単調増加する直流電圧である検出電圧を出力する電圧検出回路と、
外部から入力される調光信号に応じて点灯回路の出力電圧の周波数を制御することにより放電灯の光出力を制御するとともに、電圧検出回路が出力した検出電圧が所定の検出閾値以上となったときに点灯回路の回路部品を保護するように点灯回路を制御する保護動作を行う制御回路とを備え、
電圧検出回路は、点灯回路が放電灯に出力する出力電圧の周波数が高いほど、検出電圧を低くするものであることを特徴とする放電灯点灯装置。
【請求項２】
点灯回路は、それぞれ放電灯とともに共振回路を構成する共振用インダクタと共振用コンデンサとを少なくとも備え、
共振用インダクタには二次巻線が設けられていて、
電圧検出回路には共振用インダクタの二次巻線に誘導された電圧が入力されることを特徴とする請求項１記載の放電灯点灯装置。
【請求項３】
電圧検出回路には、点灯回路の出力電圧が入力されることを特徴とする請求項１記載の放電灯点灯装置。
【請求項４】
点灯回路は、点灯回路内で発生した電圧を昇圧して放電灯に出力する昇圧トランスを備え、
昇圧トランスには検出巻線が設けられていて、
電圧検出回路には昇圧トランスの検出巻線に誘導された電圧が入力されることを特徴とする請求項１記載の放電灯点灯装置。
【請求項５】
電圧検出回路は、一端が入力端として点灯回路に接続された第１の分圧抵抗と、第１の分圧抵抗の他端にカソードが接続されアノードがグランドに接続された第１のダイオードと、アノードが第１の分圧抵抗と第１のダイオードとの接続点に接続されカソードを出力端とする第２のダイオードと、第２のダイオードのカソードとグランドとの間に接続された第２の分圧抵抗と平滑コンデンサとの並列回路と、第１のダイオードに並列に接続された周波数補正コンデンサとを備えることを特徴とする請求項１〜４のいずれか１項に記載の放電灯点灯装置。
【請求項６】
放電灯と点灯回路とを電気的に接続するソケットとして片口金タイプの放電灯に適合したものを備えることを特徴とする請求項１〜５のいずれか１項に記載の放電灯点灯装置。
【請求項７】
請求項１〜６のいずれか１項に記載の放電灯点灯装置と、放電灯点灯装置と放電灯点灯装置によって点灯される放電灯とをそれぞれ保持する器具本体とを備えることを特徴とする照明器具。
【発明の詳細な説明】
【技術分野】
【０００１】
本発明は、放電灯点灯装置及び照明器具に関するものである。
【背景技術】
【０００２】
従来から、熱陰極型の放電灯に交流電力を出力して点灯させる放電灯点灯装置において、放電灯のフィラメントに接続される出力端間の電圧（以下、「出力電圧」と呼ぶ。）の実効値に対して単調増加する直流電圧である検出電圧を出力する電圧検出回路を有し、検出電圧が所定の検出閾値を上回ったときに、放電灯の脱落等の異常が発生したと判定して交流電力の出力を停止又は出力する電力を減少させる放電灯点灯装置が提供されている（例えば、特許文献１参照）。
【０００３】
この種の放電灯点灯装置として、例えば図８に示すようなものがある。
【０００４】
この放電灯点灯装置は、外部の交流電源ＡＣから入力された交流電力を所定の電圧の直流電力に変換するＤＣ変換回路１と、ＤＣ変換回路１が出力した直流電力を高周波の交流電力に変換して放電灯ＦＬに供給する点灯回路としてのインバータ回路２と、インバータ回路２の出力電圧に対して単調増加する検出電圧を出力する電圧検出回路３と、電圧検出回路３が出力する検出電圧と外部から入力される調光信号とに応じてインバータ回路２を制御する制御回路５とを備える。また、電圧検出回路３と制御回路５との間には保護回路４が介在している。
【０００５】
詳しく説明すると、ＤＣ変換回路１は、ノイズ除去用のアクロスザラインコンデンサＣ５及びラインフィルタＬＦと、低電圧側の直流出力端がグランドに接続され、アクロスザラインコンデンサＣ５及びラインフィルタＬＦを介して交流電源ＡＣから入力された交流電力を全波整流するダイオードブリッジＤＢと、ダイオードブリッジＤＢの直流出力端間に接続されたフィルタコンデンサＣ４と、一端がダイオードブリッジＤＢの高電圧側の直流出力端に接続されたチョッパーチョークＣＣと、チョッパーチョークＣＣの他端にアノードが接続されたダイオードＤ１と、一端がダイオードＤ１のカソードに接続され他端がグランドに接続された平滑コンデンサＣ０と、一端がチョッパーチョークＣＣとダイオードＤ１との接続点に接続され他端がグランドに接続されたスイッチング素子Ｑ１とを備え、平滑コンデンサＣ０の両端を出力端とする。すなわち、ＤＣ変換回路１は、周知のいわゆるブーストコンバータ（昇圧チョッパ回路）を含んでいる。制御回路５は、スイッチング素子Ｑ１をオンオフ駆動するものであって、スイッチング素子Ｑ１のオンオフのデューティ比を制御することによってＤＣ変換回路１の出力電圧を略一定に維持する。
【０００６】
また、インバータ回路２は、ＤＣ変換回路１の出力端間に接続された２個のスイッチング素子Ｑ２，Ｑ３の直列回路と、これらのスイッチング素子Ｑ２，Ｑ３の接続点に一端が接続された共振用インダクタとしてのバラストチョークＢＣと、バラストチョークＢＣの他端に一端が接続され他端が放電灯ＦＬに接続された２個の直流カット用コンデンサＣ１，Ｃ３の直列回路と、バラストチョークＢＣと直流カット用コンデンサＣ１との接続点に一端が接続され他端がグランドに接続された共振用コンデンサＣ２と、それぞれ一端がグランドに接続された一次巻線Ｎ１と二次巻線Ｎ２とを有し一次巻線Ｎ１の他端は上記２個の直流カット用コンデンサＣ１，Ｃ３の接続点に接続され二次巻線の他端は放電灯ＦＬにおいて直流カット用コンデンサＣ３が接続されていない側の一端に接続された昇圧トランスＴ１とを備える。すなわち、制御回路５が２個のスイッチング素子Ｑ２，Ｑ３を交互にオンオフすると、バラストチョークＢＣと共振用コンデンサＣ２と直流カット用コンデンサＣ１，Ｃ３と昇圧トランスＴ１と放電灯ＦＬとで構成される共振回路の共振動作により、放電灯ＦＬに高周波の交流電力が供給される。このとき、放電灯ＦＬには、昇圧トランスＴ１の一次巻線Ｎ１の両端に発生した電圧に、昇圧トランスＴ１の一次巻線Ｎ１の巻数に対する一次巻線Ｎ１と二次巻線Ｎ２との巻数の和の比を乗じた電圧が加えられる。また、制御回路５は、外部から入力される調光信号に応じて、上記オンオフの周波数（以下、「動作周波数」と呼ぶ。）を変化させることで、放電灯ＦＬに対する供給電力を変化させ、これによって放電灯ＦＬの光出力を変化させる。ここで、上記共振回路の共振周波数よりも高い範囲で動作周波数は変化させられるのであり、動作周波数が高くされるほど（つまり上記共振周波数から離れるほど）、図９に曲線ＣＬ１で示すようにインバータ回路２から放電灯ＦＬへの出力電圧（すなわちランプ電圧）は高くなり、放電灯ＦＬの負特性によって放電灯ＦＬへの供給電流（すなわちランプ電流）は減少するから、放電灯ＦＬへの供給電力（すなわちランプ電力）は減少して放電灯ＦＬの光出力は低下する。
【０００７】
ところで、図９の曲線ＣＬ２は、無負荷状態、すなわち、放電灯ＦＬが接続されていないときや放電灯ＦＬが未点灯であって放電灯ＦＬに電流が流れない状態での動作特性を示す。つまり、点灯中に放電灯ＦＬの脱落や接続不良などで無負荷状態となった場合、インバータ回路２の出力電圧（以下、単に「出力電圧」と呼ぶ。）が急激に上昇してしまう。そこで、出力電圧に対して単調に増加する検出電圧を出力する電圧検出回路３を設け、制御回路５は、電圧検出回路３が出力した検出電圧が所定の検出閾値Ｖｔｈを上回ったときに、上記の接続不良等の異常が発生したと判定し、回路を保護するための所定の保護動作を行う。保護動作としては、具体的には例えば、インバータ回路２のスイッチング素子Ｑ２，Ｑ３の駆動を停止することで交流電力の出力を停止させるという動作や、動作周波数を高くすることで出力を低下させるという動作や、スイッチング素子Ｑ２，Ｑ３の駆動を間欠的とするという動作などが考えられる。
【０００８】
ここで、例えば図１０（ａ）〜（ｃ）に示すように放電灯ＦＬが両端に口金ＦＬ１を有する直管型である場合のように、放電灯ＦＬがいわゆる両口金タイプである場合、放電灯ＦＬの一方ずつの口金Ｌ１を保持するとともに放電灯ＦＬの一方ずつのフィラメント（図示せず）とインバータ回路２とを電気的に接続する一対のソケットＳＫが用いられ、放電灯ＦＬが外れる際には図１０（ｂ）に示すように一方の口金ＦＬ１のみがソケットＳＫから外された状態（つまり、一方のフィラメントのみがインバータ回路２から切り離された状態）を経ることが多く、このようにして放電灯ＦＬが外れる場合には、図９の曲線ＣＬ１の有負荷状態から曲線ＣＬ２の無負荷状態に変化するまでに中間的な状態を経ることになるから、回路部品にかかる電気的なストレスは比較的に低くなる。
【０００９】
これに対し、放電灯ＦＬが図１１に示すような二重環形状など口金ＦＬ１を一方側にしか有さないいわゆる片口金タイプだと、放電灯ＦＬが外れる際には両方のフィラメントが同時にインバータ回路２から切り離されることになる。このようにして放電灯ＦＬが外れると、回路の特性が図９の曲線ＣＬ１の有負荷状態から曲線ＣＬ２の無負荷状態に一気に変化することで、回路部品にかかる電気的なストレスが比較的に大きくなる。すなわち、片口金タイプの放電灯ＦＬを用いる場合には上記の保護動作が確実に行なわれることは特に重要となる。
【００１０】
以下、電圧検出回路３について詳しく説明する。昇圧トランスＴ１には、一端がグランドに接続された検出巻線Ｎ３が設けられており、この検出巻線Ｎ３の他端が電圧検出回路３に接続されている。
【００１１】
電圧検出回路３は、一端が入力端として検出巻線Ｎ３に接続された抵抗Ｒ１（請求項における第１の分圧抵抗）と、カソードが抵抗Ｒ１に接続されアノードがグランドに接続されたダイオードＤ２（請求項における第１のダイオード）と、アノードが抵抗Ｒ１に接続されカソードが出力端として保護回路４に接続されたダイオードＤ３（請求項における第２のダイオード）と、一端がダイオードＤ３のカソードに接続されて他端がグランドに接続されたコンデンサＣ６（請求項における平滑コンデンサ）と抵抗Ｒ２（請求項における第２の分圧抵抗）との並列回路とを備える。
【００１２】
つまり、まず出力電圧に対して単調に増加する誘導電圧Ｖｗが検出巻線Ｎ３に誘導され、この誘導電圧ＶｗがダイオードＤ３によって整流され抵抗Ｒ１，Ｒ２によって分圧されるとともにコンデンサＣ６によって平滑された検出電圧Ｖｋが保護回路４に入力されるのである。
【００１３】
保護回路４は、例えば、検出電圧Ｖｋを検出閾値Ｖｔｈと比較し、検出電圧Ｖｋが検出閾値Ｖｔｈ未満であるときと検出電圧Ｖｋが検出閾値Ｖｔｈ以上であるときとで異なる電圧を制御回路５に入力するものであってもよいし、電圧検出回路３から制御回路５に入力される電圧を検出閾値Ｖｔｈよりも大きい所定値以下にクランプするものであってもよい。制御回路５は、保護回路４の出力に基いて、検出電圧Ｖｋが検出閾値Ｖｔｈ以上であることを検出すると、上述した保護動作を行うのである。
【特許文献１】特開２００２−２９９０８４号公報
【発明の開示】
【発明が解決しようとする課題】
【００１４】
動作周波数と出力電圧の実効値と誘導電圧Ｖｗの実効値と検出電圧Ｖｋとの関係を次表に示し、それぞれ異なる動作周波数での誘導電圧Ｖｗと検出電圧Ｖｋとの関係を図１２（ａ）〜（ｃ）に示す。具体的な数値としては、放電灯ＦＬをＦＨＤ７０とし、抵抗Ｒ１の抵抗値を１００ｋΩとし、抵抗Ｒ２の抵抗値を６８ｋΩとし、コンデンサＣ６の容量値を０．１μＦとしている。放電灯ＦＬに流れるランプ電流は、Ａ点では４１５ｍＡ程度、Ｂ点では２００ｍＡ程度、Ｃ点では１２０ｍＡ程度となる。
【００１５】
【表１】
2009205862.tif 000003
【００１６】
つまり、上記従来例では、放電灯ＦＬの光出力（調光比）を変更するために動作周波数を高くしたときの出力電圧の上昇まで検出電圧Ｖｋに反映されてしまう。
【００１７】
動作周波数を変化させることで出力電圧を変化させた場合における出力電圧と検出電圧Ｖｋとの関係を図１３に示す。図１３を見ても分かるように、検出電圧Ｖｋの正常値と検出閾値Ｖｔｈとの差が、動作周波数の低いＡ点では動作周波数の高いＣ点よりも大きくなってしまう。例えば、上記のＡ点からＣ点までを動作周波数の取りうる範囲とすれば、検出閾値Ｖｔｈは検出電圧Ｖｋの正常値のうち最も高いＣ点での値を基準として設計する必要があるが、そうすると動作周波数の低いＡ点では検出電圧Ｖｋと検出閾値Ｖｔｈとの差が大きくなるため、異常が発生したときの保護動作の開始が遅くなってしまう可能性がある。
【００１８】
上記特許文献１では、上記の課題を解決するために、検出電圧が高いほど大きく減算するように検出電圧を補償した上で検出閾値との比較に用いることや、検出電圧が高いほど検出閾値を高くすることが提案されているが、このような構成を採用すると回路が複雑となってしまう。
【００１９】
本発明は、上記事由に鑑みて為されたものであり、その目的は、点灯回路の出力電圧の周波数の変化に伴う出力電圧の実効値の変化に対する検出電圧の変化を、比較的に簡単な回路で抑制することができる放電灯点灯装置及び照明器具を提供することにある。
【課題を解決するための手段】
【００２０】
請求項１の発明は、放電灯に交流電力を供給して点灯させる点灯回路と、点灯回路が放電灯に出力する出力電圧の実効値に対して単調増加する直流電圧である検出電圧を出力する電圧検出回路と、外部から入力される調光信号に応じて点灯回路の出力電圧の周波数を制御することにより放電灯の光出力を制御するとともに、電圧検出回路が出力した検出電圧が所定の検出閾値以上となったときに点灯回路の回路部品を保護するように点灯回路を制御する保護動作を行う制御回路とを備え、電圧検出回路は、点灯回路が放電灯に出力する出力電圧の周波数が高いほど、検出電圧を低くするものであることを特徴とする。
【００２１】
この発明によれば、電圧検出回路において点灯回路の出力電圧の周波数が高いほど検出電圧が低くなるから、点灯回路の出力電圧における周波数の変化に伴う実効値の変化に対する検出電圧の変化が抑制される。また、上記のような特性の電圧検出回路は、比較的に簡単な回路で実現ことができる。
【００２２】
請求項２の発明は、請求項１の発明において、点灯回路は、それぞれ放電灯とともに共振回路を構成する共振用インダクタと共振用コンデンサとを少なくとも備え、共振用インダクタには二次巻線が設けられていて、電圧検出回路には共振用インダクタの二次巻線に誘導された電圧が入力されることを特徴とする。
【００２３】
請求項３の発明は、請求項１の発明において、電圧検出回路には、点灯回路の出力電圧が入力されることを特徴とする。
【００２４】
請求項４の発明は、請求項１の発明において、点灯回路は、点灯回路内で発生した電圧を昇圧して放電灯に出力する昇圧トランスを備え、昇圧トランスには検出巻線が設けられていて、電圧検出回路には昇圧トランスの検出巻線に誘導された電圧が入力されることを特徴とする。
【００２５】
請求項５の発明は、請求項１〜４のいずれかの発明において、電圧検出回路は、一端が入力端として点灯回路に接続された第１の分圧抵抗と、第１の分圧抵抗の他端にカソードが接続されアノードがグランドに接続された第１のダイオードと、アノードが第１の分圧抵抗と第１のダイオードとの接続点に接続されカソードを出力端とする第２のダイオードと、第２のダイオードのカソードとグランドとの間に接続された第２の分圧抵抗と平滑コンデンサとの並列回路と、第１のダイオードに並列に接続された周波数補正コンデンサとを備えることを特徴とする。
【００２６】
請求項６の発明は、請求項１〜５のいずれかの発明において、放電灯と点灯回路とを電気的に接続するソケットとして片口金タイプの放電灯に適合したものを備えることを特徴とする。
【００２７】
請求項７の発明は、請求項１〜６のいずれか１項に記載の放電灯点灯装置と、放電灯点灯装置と放電灯点灯装置によって点灯される放電灯とをそれぞれ保持する器具本体とを備えることを特徴とする。
【発明の効果】
【００２８】
本発明によれば、電圧検出回路において点灯回路の出力電圧の周波数が高いほど検出電圧が低くなるから、点灯回路の出力電圧における周波数の変化に伴う実効値の変化に対する検出電圧の変化が抑制される。また、上記のような特性の電圧検出回路は、比較的に簡単な回路で実現ことができる。
【発明を実施するための最良の形態】
【００２９】
以下、本発明を実施するための最良の形態について、図面を参照しながら説明する。
【００３０】
本実施形態は、図１に示すように、電圧検出回路３のダイオードＤ２（請求項における第１のダイオード）に並列に周波数補正コンデンサＣ７を接続したことを特徴としている。その他の構成は図８で説明した従来例と共通であるので、説明は省略する。
【００３１】
入力される電圧Ｖｗの周波数（すなわち動作周波数であり、インバータ回路２の出力電圧の周波数）を一定とすれば、従来例と同様に、電圧検出回路３が出力する検出電圧Ｖｋは、電圧検出回路３に入力される電圧Ｖｗの実効値に対して単調に増加する。すなわち、電圧検出回路３は、出力電圧の実効値に対して単調に増加する検出電圧Ｖｋを出力する。
【００３２】
しかし、本実施形態の電圧検出回路３では、上記のような周波数補正コンデンサＣ７が設けられていることにより、入力される電圧Ｖｗの周波数が高いほど、周波数補正コンデンサＣ７のインピーダンスが低くなり、周波数補正コンデンサＣ７を通じてグランドに流れる電流が多くなることで、出力される検出電圧Ｖｋが低くなる。
【００３３】
具体的な数値としては、放電灯ＦＬをＦＨＤ７０とし、抵抗Ｒ１の抵抗値を１００ｋΩとし、コンデンサＣ６の容量値を０．１μＦとしている点は上記従来例と同様であるが、抵抗Ｒ２の抵抗値を４３０ｋΩに変更している。また、新たに追加した周波数補正コンデンサＣ７の容量値は１００ｐＦとしている。
【００３４】
本実施形態における動作周波数と出力電圧の実効値と誘導電圧Ｖｗの実効値と検出電圧Ｖｋとの関係を次表に示し、それぞれ異なる動作周波数での誘導電圧Ｖｗと検出電圧Ｖｋとの関係を図２（ａ）〜（ｃ）に示し、動作周波数を変化させることで出力電圧を変化させた場合における出力電圧と検出電圧Ｖｋとの関係を図３に示す。
【００３５】
【表２】
2009205862.tif 000004
【００３６】
上表と図２（ａ）〜（ｃ）と図３とからも明らかなように、本実施形態は図８の従来例に対して周波数補正コンデンサＣ７を追加しただけの比較的に簡単な回路でありながらも、動作周波数が変化したときの出力電圧の実効値の変化に対する検出電圧Ｖｋの変化が抑制されている。これにより、動作周波数を低くしている状態であっても、検出電圧Ｖｋの正常値と検出閾値Ｖｔｈとの差が大きくなるようなことがなく、異常の発生時には保護動作が速やかに行なわれて回路部品への電気的なストレスが抑制される。また、上記のような周波数補正コンデンサＣ７の追加は、出力電圧にはほとんど影響を与えていない。
【００３７】
なお、電圧検出回路３は、必ずしも上記のように昇圧トランスＴ１の検出巻線Ｎ３に接続する必要はなく、電圧の実効値が出力電圧の実効値に対して単調増加となるような点に接続すればよい。例えば、図４に示すように、バラストチョークＢＣにおいて一端がグランドに接続された二次巻線を設けるとともに、この二次巻線の他端を電圧検出回路３に接続してもよい。
【００３８】
または、図５に示すように、放電灯ＦＬと直流カット用コンデンサＣ３との接続点に接続してもよい。この場合、電圧検出回路３に入力される電圧はインバータ回路２の出力電圧そのものとなり、比較的に高い電圧となるため、ダイオードＤ３と抵抗Ｒ１との間に２個の抵抗Ｒ３，Ｒ４の直列回路を挿入し、分圧比を低くしている。すなわち、図５の例では３個の抵抗Ｒ１，Ｒ３，Ｒ４の直列回路が請求項における第１の分圧抵抗を構成している。ただし、図５のように電圧検出回路３への入力電圧をインバータ回路２の出力電圧とすると、図１の例や図４の例に比べ、上記のように抵抗Ｒ３，Ｒ４を追加するか、抵抗Ｒ１として電圧耐量や抵抗値が高いものを使用する必要があるため、いずれにしても製造コストが高くなってしまうから、図５の構成よりも図１の構成や図４の構成を採用することが望ましい。
【００３９】
さらに、図６に示すように、スイッチング素子Ｑ２，Ｑ３とバラストチョークＢＣとの接続点に一端が接続されたコンデンサＣｆ１と、このコンデンサＣｆ１の他端に一端が接続されて他端がグランドに接続された一次巻線とそれぞれコンデンサＣｆ２，Ｃｆ３を介して放電灯ＦＬの一方ずつのフィラメントの両端間に接続される２本の二次巻線とを有する予熱用トランスＴ２とからなり始動時に放電灯ＦＬの各フィラメントをそれぞれ予熱する予熱回路を設けてもよい。
【００４０】
上記のような各種の放電灯点灯装置は、図７（ａ）（ｂ）に示すような照明器具６に用いることができる。上下方向は図７（ｂ）を基準として詳しく説明すると、この照明器具６は、上記の放電灯点灯装置を構成する各回路部品がそれぞれ実装されたプリント配線板６１と、このプリント配線板６１を収納するとともに放電灯ＦＬを保持して天井面等の取付面（図示せず）に固定される器具本体６２と、透光性を有する材料からなり下方に膨出したドーム形状であって器具本体６２に被着されて下方から見て放電灯ＦＬを覆うカバー６３とを備える。器具本体６２の下面は放電灯ＦＬの光に対する反射率を高くするために例えば白色に塗装されるとともに、器具本体６２の下面の形状はカバー６３に対して光を均一に入射させるように設計されている。また、プリント配線板６１に実装された放電灯点灯装置は、放電灯ＦＬの口金（図示せず）に機械的に接続されるとともに放電灯ＦＬとインバータ回路２とを電気的に接続するソケット（図示せず）として二重環形状の（つまり片口金タイプの）放電灯ＦＬに適合したものを備える。従来技術の項で説明したように、図７（ａ）（ｂ）に示すような二重環形状のような片口金タイプの場合は保護動作が特に重要であるので、動作周波数によらず保護動作が速やかに行なわれる本実施形態は好適である。
【図面の簡単な説明】
【００４１】
【図１】本発明の実施形態を示す回路ブロック図である。
【図２】（ａ）〜（ｃ）はそれぞれ同上において異なる動作周波数での電圧検出回路への入力電圧と検出電圧との関係を示す説明図である。
【図３】同上において動作周波数を変化させた場合における出力電圧と検出電圧との関係を示す説明図である。
【図４】同上の別の形態を示す回路ブロック図である。
【図５】同上の更に別の形態を示す回路ブロック図である。
【図６】同上の別の形態を示す回路ブロック図である。
【図７】（ａ）（ｂ）はそれぞれ同上を用いた照明器具の例を示し、（ａ）は斜視図、（ｂ）は正面図である。
【図８】従来例を示す回路ブロック図である。
【図９】同上における動作周波数と出力電圧との関係を示す説明図である。
【図１０】（ａ）〜（ｃ）はそれぞれ直管型の放電灯が取り外される際の異なる過程を示す説明図である。
【図１１】二重環形状の放電灯を示す平面図である。
【図１２】（ａ）〜（ｃ）はそれぞれ従来例において異なる動作周波数での電圧検出回路への入力電圧と検出電圧との関係を示す説明図である。
【図１３】同上において動作周波数を変化させた場合における出力電圧と検出電圧との関係を示す説明図である。
【符号の説明】
【００４２】
２  インバータ回路（請求項における点灯回路）
３  電圧検出回路
５  制御回路
６  照明器具
６２  器具本体
ＢＣ  バラストチョーク（請求項における共振用インダクタ）
Ｃ２  共振用コンデンサ
Ｃ６  コンデンサ（請求項における平滑コンデンサ）
Ｃ７  周波数補正コンデンサ
Ｄ２  ダイオード（請求項における第１のダイオード）
Ｄ３  ダイオード（請求項における第２のダイオード）
ＦＬ  放電灯
ＦＬ１  口金
Ｒ１  抵抗（請求項における第１の分圧抵抗）
Ｒ２  抵抗（請求項における第２の分圧抵抗）
【図１】
2009205862.tif 000005
【図２】
2009205862.tif 000006
【図３】
2009205862.tif 000007
【図４】
2009205862.tif 000008
【図５】
2009205862.tif 000009
【図６】
2009205862.tif 000010
【図７】
2009205862.tif 000011
【図８】
2009205862.tif 000012
【図９】
2009205862.tif 000013
【図１０】
2009205862.tif 000014
【図１１】
2009205862.tif 000015
【図１２】
2009205862.tif 000016
【図１３】
2009205862.tif 000017